(57)【要約】【課題】複数のノズルを自励振動しても、自励振動する機構が大きくさせることなくコンパクトにできることを目的とする。【解決手段】外気を取り入れる吸込口と、吸込口から取り込んだ空気を高圧気流発生装置まで案内する風路で構成された吸込風路と、高圧気流発生装置により昇圧された空気をノズル５まで案内する風路で構成された吹出風路を備え、複数のノズル５を間隔７をおいて配列し、ノズル５から噴出される噴流が自励振動するようにした手乾燥装置であって、ノズル５をノズル保持部を介してクランクアーム１１に固定し、クランクアーム１１をクランク１２に接続し、クランク１２を回転することによりノズル５が自励振動することにより、複数のノズル５を自励振動しても、自励振動する機構が大きくさせることなくコンパクトにできる手乾燥装置を提供できる。【選択図】図２
2011036636.tif 000002
【特許請求の範囲】
【請求項１】
外気を取り入れる吸込口と、前記吸込口から取り込んだ空気を高圧気流発生装置まで案内する風路で構成された吸込風路と、前記高圧気流発生装置により昇圧された空気をノズルまで案内する風路で構成された吹出風路を備え、複数の前記ノズルを間隔をおいて配列し前記ノズルから噴出される噴流が自励振動するようにした手乾燥装置であって、前記ノズルを３部分から構成されたノズル保持部を介してクランクアームに固定し、前記クランクアームをクランクに接続し、前記クランクを回転することにより前記ノズルが自励振動することを特徴とする手乾燥装置。
【請求項２】
ノズルの自励振動の方向を、挿入した手の幅方向の全体に噴流されることを特徴とする請求項１記載の手乾燥装置。
【請求項３】
ノズルの材質を、軟質の材質とすることを特徴とする請求項１または２記載の手乾燥装置。
【請求項４】
３部分から構成されたノズル保持部の１つであるノズル保持部Ｃの材質を、軟質の材質とすることを特徴とする請求項１記載の手乾燥装置。
【請求項５】
軟質の材質を、シリコン等の耐薬品性の材質とすることを特徴とする請求項３または４記載の手乾燥装置。
【請求項６】
３部分から構成されたノズル保持部の１つであるノズル保持部Ａの材質の厚みを、振動で折れない程度の厚みにすることを特徴とする請求項１または４記載の手乾燥装置。
【請求項７】
３部分から構成されたノズル保持部の１つであるノズル保持部Ｃを、ノズル保持部Ａに対して上下方向に挟み込まない構成とすることを特徴とする請求項１、４、６のいずれかに記載の手乾燥装置。
【請求項８】
３部分から構成されたノズル保持部の１つであるノズル保持部Ｃを、左右に動作するノズル保持部Ａに対して接触しない構成とすることを特徴とする請求項１、４、６、７のいずれかに記載の手乾燥装置。
【請求項９】
３部分から構成されたノズル保持部の１つであるノズル保持部Ｂを、ノズルを支持する固定板を設け、前記ノズルの間隔であるピッチに対して隣合うノズルが接触しない程度の寸法にすることを特徴とする請求項１、４、６〜８のいずれかに記載の手乾燥装置。
【請求項１０】
ノズルを差し込むノズル差込穴の対面に、Ｖ字形状のリブを設けることを特徴とする請求項１〜３のいずれかに記載の手乾燥装置。
【請求項１１】
ノズル保持部Ａに、ノズル保持部Ｃの押し込みを防止する押し込み防止リブを設けたことを特徴とする請求項１、４、６〜９のいずれかに記載の手乾燥装置。
【請求項１２】
押し込み防止リブを、ノズルの近傍に設けたことを特徴とする請求項１１記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速噴流を送出するためのファンモータを用いて、手を挿入して乾燥させるための乾燥室へノズルから高速空気流を噴出し、手に付着した水滴を吹き飛ばして乾燥させる、手乾燥装置が知られている（例えば、特許文献１参照）。
【先行技術文献】
【特許文献】
【０００３】
【特許文献１】特開２００９−０３９２７０号公報
【発明の概要】
【発明が解決しようとする課題】
【０００４】
このような従来の手乾燥装置では、複数のノズルを自励振動する際、横方向および縦方向の機構が必要なり、その機構が大きくなってしまうという課題がある。
【０００５】
本発明は、このような従来の課題を解決するものであり、複数のノズルを自励振動しても、自励振動する機構が大きくさせることなくコンパクトにできる手乾燥装置を提供することを目的とする。
【課題を解決するための手段】
【０００６】
本発明の手乾燥装置は、上記目的を達成するために、外気を取り入れる吸込口と、前記吸込口から取り込んだ空気を高圧気流発生装置まで案内する風路で構成された吸込風路と、前記高圧気流発生装置により昇圧された空気をノズルまで案内する風路で構成された吹出風路を備え、複数の前記ノズルを間隔をおいて配列し、前記ノズルから噴出される噴流が自励振動するようにした手乾燥装置であって、前記ノズルを３部分から構成されたノズル保持部を介してクランクアームに固定し、前記クランクアームをクランクに接続し、前記クランクを回転することにより前記ノズルが自励振動するものである。
【０００７】
また、他の手段は、ノズルの自励振動の方向を、挿入した手の幅方向の全体に噴流されるものである。
【０００８】
また、他の手段は、ノズルの材質を、軟質の材質とするものである。
【０００９】
また、他の手段は、３部分から構成されたノズル保持部の１つであるノズル保持部Ｃの材質を、軟質の材質とするものである。
【００１０】
また、他の手段は、軟質の材質を、シリコン等の耐薬品性の材質とするものである。
【００１１】
また、他の手段は、３部分から構成されたノズル保持部の１つであるノズル保持部Ａの材質の厚みを、振動で折れない程度の厚みにするものである。
【００１２】
また、他の手段は、３部分から構成されたノズル保持部の１つであるノズル保持部Ｃを、ノズル保持部Ａに対して上下方向に挟み込まない構成とするものである。
【００１３】
また、他の手段は、３部分から構成されたノズル保持部の１つであるノズル保持部Ｃを、左右に動作するノズル保持部Ａに対して接触しない構成とするものである。
【００１４】
また、他の手段は、３部分から構成されたノズル保持部の１つであるノズル保持部Ｂを、ノズルを支持する固定板を設け、前記ノズルの間隔であるピッチに対して隣合うノズルが接触しない程度の寸法にするものである。
【００１５】
また、他の手段は、ノズルを差し込むノズル差込穴の対面に、Ｖ字形状のリブを設けるものである。
【発明の効果】
【００１６】
本発明によれば、外気を取り入れる吸込口と、前記吸込口から取り込んだ空気を高圧気流発生装置まで案内する風路で構成された吸込風路と、前記高圧気流発生装置により昇圧された空気をノズルまで案内する風路で構成された吹出風路を備え、複数の前記ノズルを間隔をおいて配列し、前記ノズルから噴出される噴流が自励振動するようにした手乾燥装置であって、前記ノズルを３部分から構成されたノズル保持部を介してクランクアームに固定し、前記クランクアームをクランクに接続し、前記クランクを回転することにより前記ノズルが自励振動することにより、複数のノズルを自励振動しても、自励振動する機構が大きくさせることなくコンパクトにできるという効果のある手乾燥装置を提供することができる。
【００１７】
また、ノズルの自励振動の方向を、挿入した手の幅方向の全体に噴流されることにより、手に付着した水分を、確実に吹き飛ばすことができるという効果のある手乾燥装置を提供することができる。
【００１８】
また、ノズルの材質を、軟質の材質とすることにより、クランク半径の減少により、モータの回転軸（シャフト）にかかるスラスト方向の力を軽減し動きが滑らかにし、手に付着した水分を、確実に吹き飛ばすことができるという効果のある手乾燥装置を提供することができる。
【００１９】
また、３部分から構成されたノズル保持部の１つであるノズル保持部Ｃの材質を、軟質の材質とすることにより、始動の動作音の低減とコスト、省スペース化をすることができるという効果のある手乾燥装置を提供することができる。
【００２０】
また、軟質の材質を、シリコン等の耐薬品性の材質とすることにより、ノズル、ノズル保持部を薬品で洗浄しても、材質の品質を劣化させることができるという効果のある手乾燥装置を提供することができる。
【００２１】
また、３部分から構成されたノズル保持部の１つであるノズル保持部Ｃの材質の厚みを、振動で折れない程度の厚みにすることにより、ノズルの自励振動の始動動作音の低減とコスト、省スペース化ができるという効果のある手乾燥装置を提供することができる。
【００２２】
また、３部分から構成されたノズル保持部の１つであるノズル保持部Ｃを、ノズル保持部Ａに対して上下方向に挟み込まない構成とすることにより、ノズルの自励振動の始動動作音の低減とコスト、省スペース化ができるという効果のある手乾燥装置を提供することができる。
【００２３】
また、３部分から構成されたノズル保持部の１つであるノズル保持部Ｃを、左右に動作するノズル保持部Ａに対して接触しない構成とすることにより、ノズル保持部の磨耗による経年劣化を抑制しノズル機構部の寿命低下を妨ぐことができるという効果のある手乾燥装置を提供することができる。
【００２４】
また、３部分から構成されたノズル保持部の１つであるノズル保持部Ｂを、ノズルを支持する固定板を設け、前記ノズルの間隔であるピッチに対して隣合うノズルが接触しない程度の寸法にすることにより、ノズルの自励振動の始動動作音の低減とコスト、省スペース化ができるという効果のある手乾燥装置を提供することができる。
【００２５】
また、ノズルを差し込むノズル差込穴の対面に、Ｖ字形状のリブを設けることにより、ノズル落下防止とＶ字形状のＶが溝部形状になるため吹き出し部の圧力損失（抵抗）を低減することができるという効果のある手乾燥装置を提供することができる。
【図面の簡単な説明】
【００２６】
【図１】本発明の実施の形態１の手乾燥装置の斜視図
【図２】同手乾燥装置のノズルの動作を示す斜視図
【図３】同手乾燥装置の上面斜視図
【図４】同手乾燥装置のノズルの動作を示す正面図
【図５】同手乾燥装置のモータの動作を示す詳細図
【図６】同手乾燥装置のノズルの動作を示す側面図
【図７】同手乾燥装置のノズルの動作を示す拡大図
【図８】同手乾燥装置の複数のノズルの間隔を示す拡大図
【図９】同手乾燥装置のノズル保持部Ｃのクリアランスを示す拡大図
【図１０】同手乾燥装置のＶ字形状のリブ示す拡大図
【図１１】本発明の実施の形態２の手乾燥装置のノズル付近を示す拡大側断面図
【図１２】同手乾燥装置のノズル付近を示す拡大正面図
【発明を実施するための形態】
【００２７】
本発明の請求項１記載の手乾燥装置は、外気を取り入れる吸込口と、前記吸込口から取り込んだ空気を高圧気流発生装置まで案内する風路で構成された吸込風路と、前記高圧気流発生装置により昇圧された空気をノズルまで案内する風路で構成された吹出風路を備え、複数の前記ノズルを間隔をおいて配列し、前記ノズルから噴出される噴流が自励振動するようにした手乾燥装置であって、前記ノズルを３部分から構成されたノズル保持部を介してクランクアームに固定し、前記クランクアームをクランクに接続し、前記クランクを回転することとしたものであり、ノズルが、ノズル保持部を介してクランクアームに固定されたクランクアームをクランクに接続されたクランクを回転すし、ノズルが自励振動するという作用を有する。
【００２８】
また、ノズルの自励振動の方向を、挿入した手の幅方向の全体に噴流されることとしたものであり、手の左右方向に振動するノズルから吹き出す噴流が、手挿入した手の幅方向の全体に噴流を噴射するという作用を有する。
【００２９】
また、ノズルの材質を、軟質の材質とすることとしたものであり、ノズルの駆動部分に与えられる力とノズルの質量がノズル駆動中心部に対し加速度をもち、材質の弾性力によりノズルの自励振動する角度以上の角度でノズルを振るという作用を有する。
【００３０】
また、３部分から構成されたノズル保持部の１つであるノズル保持部Ｃの材質を、軟質の材質とすることとしたものであり、軟質の弾性（伸縮性）が、始動トルクの負荷を小さくするという作用を有する。
【００３１】
また、軟質の材質を、シリコン等の耐薬品性の材質とすることとしたものであり、耐薬品性の材質が、薬品による侵食、劣化を防ぐという作用を有する。
【００３２】
また、３部分から構成されたノズル保持部の１つであるノズル保持部Ａの材質の厚みを、振動で折れない程度の厚みにすることとしたものであり、より弾性（伸縮）することができ、ノズルの自励振動の始動トルクの負荷を小さくするという作用を有する。
【００３３】
また、３部分から構成されたノズル保持部の１つであるノズル保持部Ｃを、ノズル保持部Ａに対して上下方向に挟み込まない構成とすることとしたものであり、より弾性（伸縮）することができ、ノズルの自励振動の始動トルクの負荷を小さくするという作用を有する。
【００３４】
また、３部分から構成されたノズル保持部の１つであるノズル保持部Ｃを、左右に動作するノズル保持部Ａに対して接触しない構成とすることとしたものであり、ノズル保持部が、クランクアームに接触せず、自励振動するという作用を有する。
【００３５】
また、３部分から構成されたノズル保持部の１つであるノズル保持部Ｂを、ノズルを支持する固定板を設け、前記ノズルの間隔であるピッチに対して隣合うノズルが接触しない程度の寸法にすることとしたものであり、より弾性（伸縮）することができ、ノズルの自励振動の始動トルクの負荷を小さくするという作用を有する。
【００３６】
また、ノズルを差し込むノズル差込穴の対面に、Ｖ字形状のリブを設けることとしたものであり、ノズルを押し込む際、Ｖ字形状のリブに接触するという作用を有する。
【００３７】
以下、本発明の実施の形態について、図面を参照しながら説明する。
【００３８】
（実施の形態１）
図１〜図１０に示すように、外気を取り入れる吸込口１と、吸込口１から取り込んだ空気２を高圧気流発生装置３まで案内する風路で構成された吸込風路４と、高圧気流発生装置３により昇圧された空気をノズル５まで案内する風路で構成された吹出風路６を備え、複数のノズル５を間隔７をおいて配列し、ノズル５から噴出される噴流が自励振動するようにした手乾燥装置であって、ノズル５を３部分から構成されたノズル保持部として３つのノズル保持部Ａ８とノズル保持部Ｂ９とノズル保持部Ｃ１０を介してクランクアーム１１に固定し、クランクアーム１１をクランク１２に接続し、クランク１２をモータ１３に接続し、クランク１２を回転１４することによりノズル５が自励振動する構成とする。
【００３９】
上記構成により、ノズル５が、ノズル保持部を介してクランクアーム１１に固定されたクランクアームをクランク１２に接続されたクランクを回転し、ノズル５が自励振動する。
【００４０】
このように、複数のノズルを自励振動しても、自励振動する機構が大きくさせることなくコンパクトにできることとなる。
【００４１】
また、ノズル５の自励振動の方向を、挿入した手１５の幅方向１６の全体に噴流１７される構成とする。
【００４２】
上記構成により、手の左右方向１８に振動するノズル５から吹き出す噴流１７が、手挿入した手１５の幅方向１６の全体に噴流１７を噴射する。
【００４３】
このように本発明の実施の形態２の手乾燥装置によれば、手に付着した水分を、確実に吹き飛ばすことができることとなる。
【００４４】
また、ノズル５の材質を、軟質の材質とする構成とする。
【００４５】
上記構成により、ノズル５の駆動部分１９に与えられる力とノズル５の質量がノズル駆動中心部２０に対し加速度をもち、材質の弾性力によりノズル５の自励振動する角度以上の角度でノズル５を振る。
【００４６】
このように本発明の実施の形態３の手乾燥装置によれば、クランク半径２１の減少により、モータ１３の回転軸（シャフト）２２にかかるトルク２３の力を軽減し動きが滑らかにし、手に付着した水分を、確実に吹き飛ばすことができることとなる。
【００４７】
また、ノズル保持部Ｃ１０の材質を、軟質の材質とする構成とする。
【００４８】
上記構成により、軟質の弾性（伸縮性）が、始動トルクの負荷を小さくする。
【００４９】
このように、始動の動作音の低減とコスト、省スペース化をすることができることとなる。
【００５０】
また、軟質の材質を、シリコン等の耐薬品性の材質とする構成とする。
【００５１】
上記構成により、耐薬品性の材質が、薬品による侵食、劣化を防ぐ。
【００５２】
このように、ノズル、ノズル保持部を薬品で洗浄しても、材質の品質を劣化させることができることとなる。
【００５３】
また、３部分から構成されたノズル保持部の１つであるノズル保持部Ａ８の材質の厚み２４を、振動で折れない程度の厚みにする構成とする。
【００５４】
上記構成により、より弾性（伸縮）することができ、ノズル５の自励振動の始動トルクの負荷を小さくする。
【００５５】
このように、ノズルの自励振動の始動動作音の低減とコスト、省スペース化ができることとなる。
【００５６】
また、ノズル保持部Ｃ１０を、ノズル保持部Ａ８に対して上下方向に挟み込まない構成、すなわち、ノズル保持部Ｃ１０がノズル保持部Ａ８と接触しない、すなわち、クリアランス２８を設ける構成とする。
【００５７】
上記構成により、より弾性（伸縮）することができ、ノズル５の自励振動の始動トルクの負荷を小さくする。
【００５８】
このように、ノズルの自励振動の始動動作音の低減とコスト、省スペース化ができることとなる。
【００５９】
また、ノズル保持部Ｃ１０を、左右に動作するノズル保持部Ａ８に対して接触しない構成とする。
【００６０】
上記構成により、ノズル保持部が、クランクアーム１１に接触せず、自励振動する。
【００６１】
このように、ノズル保持部の磨耗による経年劣化を抑制しノズル機構部の寿命の低下を妨ぐことができることとなる。
【００６２】
また、ノズル保持部としてのノズル保持部Ｂ９を、ノズル５を支持する固定板２９を設け、ノズル５の間隔であるピッチ３０に対して隣合うノズル５が接触しない程度の寸法、すなわち、ノズル５がノズル保持部Ｂ９に接触しない大きさにノズル保持部Ｂ９の間隔２５にする構成とする。
【００６３】
上記構成により、より弾性（伸縮）することができ、ノズル５の自励振動の始動トルクの負荷を小さくする。
【００６４】
このように本発明の実施の形態９の手乾燥装置によれば、ノズルの自励振動の始動動作音の低減とコスト、省スペース化ができることとなる。
【００６５】
また、ノズル５を差し込むノズル差込穴２６の対面に、Ｖ字形状のリブ２７を設ける構成とする。
【００６６】
上記構成により、ノズル５を押し込む際、Ｖ字形状のリブ２７に接触する。
【００６７】
このように、ノズル落下防止とＶ字形状のＶが溝部形状になるため吹き出し部、すなわち、ノズルから噴出される噴流の圧力損失（抵抗）を低減することができることとなる。
【００６８】
（実施の形態２）
実施の形態１と同じ構成ついては同じ符号を付し、詳しい説明は省略する。
【００６９】
実施の形態１と異なるところは、図１１、図１２に示すように、ノズル保持部Ａ８に、ノズル保持部Ｃ１０の押し込み、すなわち、例えばノズル５の押し込みによって生ずるノズル保持部Ｃ１０の押し込みを防止する押し込み防止リブ３１を設け、更に、押し込み防止リブ３１を、ノズル５の近傍に設けたことである。
【００７０】
このような構成により、ノズル保持部Ｃ１０が押し込まれても、ノズル保持部Ａ８に設けられた押し込み防止リブ３１によりノズル保持部Ｃ１０が押し込み防止リブ３１に乗るようにせき止められ、ノズル保持部Ｃの押し込み防止リブ３１より奥の押し込みが防止でき、ノズル５の自励振動の阻害を阻止し、更に、ノズル５の近傍に押し込み防止リブ３１設けたことで、よりノズル保持部Ｃの変形による押し込みも防止でき、ノズル５の自励振動の阻害を更に阻止するようになっている。
【００７１】
よって、ノズル保持部Ｃの押し込みによるノズルの自励振動の阻害を、上記２つの手段で防止でき、結果、自励振動する機構を大きくすることを防ぐことができることとなる。
【産業上の利用可能性】
【００７２】
本発明の手乾燥装置は、レストランやホテルなどの洗面所やトイレに設置され、また病院や手術室や調理場においても適用される。
【符号の説明】
【００７３】
１    吸込口
２    空気
３    高圧気流発生装置
４    吸込風路
５    ノズル
６    吹出風路
７    間隔
８    ノズル保持部Ａ
９    ノズル保持部Ｂ
１０  ノズル保持部Ｃ
１１  クランクアーム
１２  クランク
１３  モータ
１４  回転
１５  手
１６  幅方向
１７  噴流
１８  左右方向
１９  駆動部分
２０  ノズル駆動中心部
２１  クランク半径
２２  回転軸（シャフト）
２３  トルク
２４  厚み
２５  間隔
２６  ノズル差込穴
２７  リブ
２８  クリアランス
２９  固定板
３０  ピッチ
３１  押し込み防止リブ
【図１】
2011036636.tif 000003
【図２】
2011036636.tif 000004
【図３】
2011036636.tif 000005
【図４】
2011036636.tif 000006
【図５】
2011036636.tif 000007
【図６】
2011036636.tif 000008
【図７】
2011036636.tif 000009
【図８】
2011036636.tif 000010
【図９】
2011036636.tif 000011
【図１０】
2011036636.tif 000012
【図１１】
2011036636.tif 000013
【図１２】
2011036636.tif 000014